(57)【要約】【課題】途中に人数変更があった場合にも、その人数時の追加注文に応じた正確な割り勘金額を清算前に事前に知り、割り勘金額の精算および集金作業を速やかに行える。【解決手段】割り勘金額提示システムは、飲食店の従業員用の携帯端末１０と、携帯端末１０からの無線データを受信する受信装置２０及びこれに接続される無線コントローラ３０と、無線コントローラ３０に接続されるＰＯＳシステム４０及びこれに接続される商品管理ＤＢ５０と、無線コントローラ３０に接続されるプリンタ７０とを備える。携帯端末１０又は無線コントローラ３０は、複数の人数で構成される一群の客ＰＳからの注文毎にその注文品の合計金額とその注文時の人数に応じた割り勘金額を計算する。プリンタ７０は、計算された割り勘金額の情報を注文品と共に客ＰＳに渡すレシート６０に印字する。【選択図】  図１
2005165756.tif 000002
【特許請求の範囲】
【請求項１】
複数の人数で構成される一群の客からの注文毎にその注文品の合計金額とその注文時の人数に応じた割り勘金額を計算する割り勘金額計算手段と、
計算された割り勘金額の情報を前記注文毎に発行されるレシート上に印字する手段とを備えたことを特徴とする割り勘金額提示システム。
【請求項２】
複数の人数で構成される一群の客からの注文毎にその注文品の合計金額とその注文時の人数に応じた割り勘金額を計算する割り勘金額計算手段と、
計算された割り勘金額の情報を前記客側に置かれた発注端末の画面上に表示する手段とを備えたことを特徴とする割り勘金額提示システム。
【請求項３】
飲食店の従業員用の携帯端末と、
前記携帯端末に接続されるレシート印字装置とを備え、
前記携帯端末は、
複数の人数で構成される一群の客からの注文毎にその注文品の合計金額とその注文時の人数に応じた割り勘金額を計算する割り勘金額計算手段を有し、
前記レシート印字装置は、
計算された割り勘金額の情報を前記注文毎に発行されるレシート上に印字する手段を有することを特徴とする割り勘金額提示システム。
【請求項４】
飲食店の従業員用の携帯端末との間で無線通信可能な無線装置と、
前記無線装置に接続されるレシート印字装置とを備え、
前記無線装置は、
複数の人数で構成される一群の客からの注文毎にその注文品の合計金額とその注文時の人数に応じた割り勘金額を計算する割り勘金額計算手段を有し、
前記レシート印字装置は、
計算された割り勘金額の情報を前記注文毎に発行されるレシート上に印字する手段を有することを特徴とする割り勘金額提示システム。
【請求項５】
客側に置かれる発注端末を有し、
前記発注端末は、
複数の人数で構成される一群の客からの注文毎にその注文品の合計金額とその注文時の人数に応じた割り勘金額を計算する割り勘金額計算手段と、
計算された割り勘金額の情報を前記発注端末の画面上に表示する手段とを備えたことを特徴とする割り勘金額提示システム。
【請求項６】
客側に置かれる発注端末と、
前記発注端末に接続される処理装置とを有し、
前記処理装置は、
複数の人数で構成される一群の客からの注文毎にその注文品の合計金額とその注文時の人数に応じた割り勘金額を計算する割り勘金額計算手段と、
計算された割り勘金額の情報を前記発注端末の画面上に表示する手段とを備えたことを特徴とする割り勘金額提示システム。
【請求項７】
前記割り勘金額計算手段は、
最初の注文時に注文品の合計金額を客の人数で割って第１の割り勘金額を計算し、
追加注文時に、人数変更があったか否かを判断し、
前記人数変更がないと判断された場合、追加注文品の合計金額を前記客の人数で割って第２の割り勘金額を計算して前記第１の割り勘金額に加算し、
前記人数変更があったと判断された場合、人数増加であるか人数減少であるかを判断し、
前記人数減少であると判断された場合、追加注文品の合計金額を残っている客の人数で割って第３の割り勘金額を計算して前記第１の割り勘金額に加算し、
前記人数増加であると判断された場合、追加注文品の合計金額を増加された客の人数で割って第４の割り勘金額を計算して前記第１の割り勘金額に加算することを特徴とする請求項１乃至６のいずれか１項に記載の割り勘提示システム。
【請求項８】
複数の人数で構成される一群の客からの注文毎にその注文品の合計金額とその注文時の人数に応じた割り勘金額を計算するステップと、
計算された割り勘金額の情報を前記注文毎に発行されるレシート上に印字するステップとを備えたことを特徴とする割り勘金額提示方法。
【請求項９】
複数の人数で構成される一群の客からの注文毎にその注文品の合計金額とその注文時の人数に応じた割り勘金額を計算するステップと、
計算された割り勘金額の情報を前記客側に置かれた発注端末の画面上に表示するステップとを備えたことを特徴とする割り勘金額提示方法。
【請求項１０】
前記割り勘金額を計算するステップは、
最初の注文時に注文品の合計金額を客の人数で割って第１の割り勘金額を計算するステップと、
追加注文時に、人数変更があったか否かを判断するステップと、
前記人数変更がないと判断された場合、追加注文品の合計金額を前記客の人数で割って第２の割り勘金額を計算して前記第１の割り勘金額に加算するステップと、
前記人数変更があったと判断された場合、人数増加であるか人数減少であるかを判断するステップと、
前記人数減少であると判断された場合、追加注文品の合計金額を残っている客の人数で割って第３の割り勘金額を計算して前記第１の割り勘金額に加算するステップと、
前記人数増加であると判断された場合、追加注文品の合計金額を増加された客の人数で割って第４の割り勘金額を計算して前記第１の割り勘金額に加算するステップとを備えたことを特徴とする請求項８又は９に記載の割り勘提示システム。
【請求項１１】
コンピュータに、
複数の人数で構成される一群の客からの注文毎にその注文品の合計金額とその注文時の人数に応じた割り勘金額を計算するステップと、
計算された割り勘金額の情報を前記注文毎に発行されるレシート上に印字するステップとを実行させるためのプログラム。
【請求項１２】
コンピュータに、
複数の人数で構成される一群の客からの注文毎にその注文品の合計金額とその注文時の人数に応じた割り勘金額を計算するステップと、
計算された割り勘金額の情報を前記客側に置かれた発注端末の画面上に表示するステップとを実行させるためのプログラム。
【請求項１３】
前記割り勘金額を計算するステップは、
最初の注文時に注文品の合計金額を客の人数で割って第１の割り勘金額を計算するステップと、
追加注文時に、人数変更があったか否かを判断するステップと、
前記人数変更がないと判断された場合、追加注文品の合計金額を前記客の人数で割って第２の割り勘金額を計算して前記第１の割り勘金額に加算するステップと、
前記人数変更があったと判断された場合、人数増加であるか人数減少であるかを判断するステップと、
前記人数減少であると判断された場合、追加注文品の合計金額を残っている客の人数で割って第３の割り勘金額を計算して前記第１の割り勘金額に加算するステップと、
前記人数増加であると判断された場合、追加注文品の合計金額を増加された客の人数で割って第４の割り勘金額を計算して前記第１の割り勘金額に加算するステップとを備えたことを特徴とする請求項１１又は１２に記載のプログラム。
【発明の詳細な説明】
【技術分野】
【０００１】
本発明は、割り勘金額提示システム、その方法、及びプログラムに係り、とくに客の注文毎に発行されるレシート上に注文品の合計金額と共に客の人数に応じた割り勘金額を印字したり発注端末上に表示したりするシステムの工夫に関する。
【背景技術】
【０００２】
従来、飲食店等の会計において、ＰＯＳ（Point Of Sales）システム、レジスタ、従業員が持つ携帯端末（ハンディーターミナル）、客が使用するセルフオーダ端末（発注端末）等に、グループ客の支払い代金に対し１人あたりの割り勘金額を計算して提示する機能を持たせたものが知られている。
【０００３】
例えば、特許文献１には、店舗が備えるレジスタ又はＰＯＳ端末において、合計金額と支払い人数に基づいて、一人あたりの支払い金額を算出させ、その金額をＰＯＳ端末の顧客用表示器に表示させ、レシートに印刷出力させるシステムが記載されている。
【０００４】
また、特許文献２には、飲食店等の代金精算において、各種代金精算時に、客との取引に関するデータを処理する取引データ処理装置において、複数の客からなるグループとの一取引において取引された商品の合計金額の支払いを割り勘にする場合、支払人毎に、現金、クレジットカード、デビットカード、プリペイドカード等の支払方法が入力部により指定されると、ＣＰＵが支払人毎に指定された支払方法に従って、各支払人に対する割り勘代金の決済を実行するようにした代金決済システムが記載されている。
【０００５】
さらに、店舗のテーブル毎に注文データ管理システムから情報を引き出すことができるタッチパネル付き液晶ディスプレイ装置を配置し、該装置を客が自分で操作することにより、注文の提供状況の確認や時間制限付きコースにおける残り時間を確認し、レジに行って計算や会計をすることなく事前に割り勘計算を行えるようにしたシステムが記載されている。
【特許文献１】特開平１１−０８６１３７号公報
【特許文献２】特開２００３−０９９６８５号公報
【特許文献３】特開２００３−１０９１２４号公報
【発明の開示】
【発明が解決しようとする課題】
【０００６】
しかしながら、上述した従来例のシステムには、たしかに割り勘金額を計算する機能を持たせているものの、計算される割り勘金額は、いずれも最終的に支払うべき代金の総計を基準にして人数分で割った金額を提示するものであるため、途中で帰る人や途中から入ってくる人がいた場合、これらの人と、最初から最後までいた人との間で、途中の追加注文の状況に応じた正確な割り勘金額を迅速に提示することが困難であった。
【０００７】
本来、途中で帰る人が払うべき割り勘金額は、その途中時点までに追加注文も含めて注文された代金の総計に対して計算されるべきであり、途中から入った人が払うべき金額は、その途中時点から後に追加注文された代金の総計に対して計算されるべきであるが、従来例の割り勘金額の計算では、いずれもこのような途中の人数変更を意識したものではない。
【０００８】
従って、従来例のシステムで計算される割り勘金額は、途中で帰る人が帰る際に預けていく金額や、途中から入った人が最後に払う金額が、その時点で正確には分からないという問題があった。この場合、幹事等の代表者が最終的に支払った代金の総計を基準にして、後日、途中から帰った人や途中から入ってきた人の割り勘金額を調整する必要もあるが、この時点で上記のような本来払うべき割り勘金額を計算し直す作業は大変煩雑なものとなる等の不都合もあった。
【０００９】
本発明は、このような従来の事情を考慮してなされたもので、途中に人数変更があった場合にも、その人数時の追加注文に応じた正確な割り勘金額を清算前に事前に知ることができ、割り勘金額の精算および集金作業を速やかに行えることを、目的とする。
【課題を解決するための手段】
【００１０】
上記目的達成のため、本発明の第１の側面に係る割り勘金額提示システムは、複数の人数で構成される一群の客からの注文毎にその注文品の合計金額とその注文時の人数に応じた割り勘金額を計算する割り勘金額計算手段と、計算された割り勘金額の情報を前記注文毎に発行されるレシート上に印字する手段とを備えたことを特徴とする。
【００１１】
また、本発明の第２の側面に係る割り勘金額提示システムは、複数の人数で構成される一群の客からの注文毎にその注文品の合計金額とその注文時の人数に応じた割り勘金額を計算する割り勘金額計算手段と、計算された割り勘金額の情報を前記客側に置かれた発注端末の画面上に表示する手段とを備えたことを特徴とする。
【００１２】
また、本発明の第３の側面に係る割り勘金額提示システムは、飲食店の従業員用の携帯端末と、前記携帯端末に接続されるレシート印字装置とを備え、前記携帯端末は、複数の人数で構成される一群の客からの注文毎にその注文品の合計金額とその注文時の人数に応じた割り勘金額を計算する割り勘金額計算手段を有し、前記レシート印字装置は、計算された割り勘金額の情報を前記注文毎に発行されるレシート上に印字する手段を有することを特徴とする。
【００１３】
また、本発明の第４の側面に係る割り勘金額提示システムは、飲食店の従業員用の携帯端末との間で無線通信可能な無線装置と、前記無線装置に接続されるレシート印字装置とを備え、前記無線装置は、複数の人数で構成される一群の客からの注文毎にその注文品の合計金額とその注文時の人数に応じた割り勘金額を計算する割り勘金額計算手段を有し、前記レシート印字装置は、計算された割り勘金額の情報を前記注文毎に発行されるレシート上に印字する手段を有することを特徴とする。
【００１４】
また、本発明の第５の側面に係る割り勘金額提示システムは、客側に置かれる発注端末を有し、前記発注端末は、複数の人数で構成される一群の客からの注文毎にその注文品の合計金額とその注文時の人数に応じた割り勘金額を計算する割り勘金額計算手段と、計算された割り勘金額の情報を前記発注端末の画面上に表示する手段とを備えたことを特徴とする。
【００１５】
また、本発明の第６の側面に係る割り勘金額提示システムは、客側に置かれる発注端末と、前記発注端末に接続される処理装置とを有し、前記処理装置は、複数の人数で構成される一群の客からの注文毎にその注文品の合計金額とその注文時の人数に応じた割り勘金額を計算する割り勘金額計算手段と、計算された割り勘金額の情報を前記発注端末の画面上に表示する手段とを備えたことを特徴とする。
【００１６】
また、本発明の第７の側面に係る割り勘金額提示システムでは、前記割り勘金額計算手段は、最初の注文時に注文品の合計金額を客の人数で割って第１の割り勘金額を計算し、追加注文時に、人数変更があったか否かを判断し、前記人数変更がないと判断された場合、追加注文品の合計金額を前記客の人数で割って第２の割り勘金額を計算して前記第１の割り勘金額に加算し、前記人数変更があったと判断された場合、人数増加であるか人数減少であるかを判断し、前記人数減少であると判断された場合、追加注文品の合計金額を残っている客の人数で割って第３の割り勘金額を計算して前記第１の割り勘金額に加算し、前記人数増加であると判断された場合、追加注文品の合計金額を増加された客の人数で割って第４の割り勘金額を計算して前記第１の割り勘金額に加算することを特徴とする。
【００１７】
また、本発明の第８の側面に係る割り勘金額提示方法は、複数の人数で構成される一群の客からの注文毎にその注文品の合計金額とその注文時の人数に応じた割り勘金額を計算するステップと、計算された割り勘金額の情報を前記注文毎に発行されるレシート上に印字するステップとを備えたことを特徴とする。
【００１８】
また、本発明の第９の側面に係る割り勘金額提示方法は、複数の人数で構成される一群の客からの注文毎にその注文品の合計金額とその注文時の人数に応じた割り勘金額を計算するステップと、計算された割り勘金額の情報を前記客側に置かれた発注端末の画面上に表示するステップとを備えたことを特徴とする。
【００１９】
また、本発明の第１０の側面に係る割り勘金額提示方法では、前記割り勘金額を計算するステップは、最初の注文時に注文品の合計金額を客の人数で割って第１の割り勘金額を計算するステップと、追加注文時に、人数変更があったか否かを判断するステップと、前記人数変更がないと判断された場合、追加注文品の合計金額を前記客の人数で割って第２の割り勘金額を計算して前記第１の割り勘金額に加算するステップと、前記人数変更があったと判断された場合、人数増加であるか人数減少であるかを判断するステップと、前記人数減少であると判断された場合、追加注文品の合計金額を残っている客の人数で割って第３の割り勘金額を計算して前記第１の割り勘金額に加算するステップと、前記人数増加であると判断された場合、追加注文品の合計金額を増加された客の人数で割って第４の割り勘金額を計算して前記第１の割り勘金額に加算するステップとを備えたことを特徴とする。
【００２０】
また、本発明の第１１の側面に係るプログラムは、コンピュータに、複数の人数で構成される一群の客からの注文毎にその注文品の合計金額とその注文時の人数に応じた割り勘金額を計算するステップと、計算された割り勘金額の情報を前記注文毎に発行されるレシート上に印字するステップとを実行させるためのものである。
【００２１】
また、本発明の第１２の側面に係るプログラムは、コンピュータに、複数の人数で構成される一群の客からの注文毎にその注文品の合計金額とその注文時の人数に応じた割り勘金額を計算するステップと、計算された割り勘金額の情報を前記客側に置かれた発注端末の画面上に表示するステップとを実行させるためのものである。
【００２２】
さらに、本発明の第１３の側面に係るプログラムは、前記割り勘金額を計算するステップは、最初の注文時に注文品の合計金額を客の人数で割って第１の割り勘金額を計算するステップと、追加注文時に、人数変更があったか否かを判断するステップと、前記人数変更がないと判断された場合、追加注文品の合計金額を前記客の人数で割って第２の割り勘金額を計算して前記第１の割り勘金額に加算するステップと、前記人数変更があったと判断された場合、人数増加であるか人数減少であるかを判断するステップと、前記人数減少であると判断された場合、追加注文品の合計金額を残っている客の人数で割って第３の割り勘金額を計算して前記第１の割り勘金額に加算するステップと、前記人数増加であると判断された場合、追加注文品の合計金額を増加された客の人数で割って第４の割り勘金額を計算して前記第１の割り勘金額に加算するステップとを備えたことを特徴とする。
【発明の効果】
【００２３】
本発明によれば、注文毎に発行されるレシートに事前に割り勘金額を印字することにより、客は全体の金額だけでなく各個人の支払い金額を割り勘金額によって知ることができるので、集金作業を速やかに行って事前に精算することができ、会計に要する時間を大幅に短縮することができる。これにより、飲食店側としても電卓などの貸し出しをする必要が減り、客の時間を削る効果が期待でき、ピーク時に客の回転を早くすることに寄与できる。
【発明を実施するための最良の形態】
【００２４】
次に、本発明に係る割り勘金額提示システム、その方法、及びプログラムを実施するための最良の形態について図１〜図８を参照して詳細に説明する。
【実施例】
【００２５】
図１は、本実施例の割り勘金額提示システムの全体構成を示すものである。
図１に示す例は、例えばファミリーレストラン、居酒屋等の飲食店で、客が注文する度に、その注文品の配膳時に客に対して「ご注文の品はお揃いですか？」と確認し、全ての注文品の配膳を確認後にレシート（伝票）を客席上やその脇等の客側に置くように構成されたシステムに適用される。このシステムでは、レシートを追加注文毎に発行するので、客はそのレシートを見ればそれまでの合計金額が分かるようになっている。以下の説明では、客として、割り勘すべき複数の人数からなる一群の客を想定する。
【００２６】
図１に示すシステムは、各従業員が持ち、客ＰＳからの注文を受け付けるための携帯端末（ハンディーターミナル、無線オーダ端末）１０と、この携帯端末２０からの無線伝文（通信データ）を受信する受信装置２０と、この受信装置２０に接続され、無線端末１０との間の無線動作を制御する無線コントローラ３０と、この無線コントローラ３０に接続されるＰＯＳシステム４０と、このＰＯＳシステム４０に接続される商品管理ＤＢ（データベース）５０と、無線コントローラ３０に接続される客先へ提示するレシート６０を印字するプリンタ７０とを備える。商品管理ＤＢ５０には、例えば飲食店で提供される飲食品の商品情報（品名、単価等のフィールドをもつレコードから構成されるファイル）等のマスタファイルと、売上情報等のトランザクションファイルとが含まれる。
【００２７】
図２は、無線端末１０の内部構成を示す。図２に示す無線端末１０は、本端末全体の制御を担うＣＰＵ１１と、メモリを成すＲＯＭ１２及びＲＡＭ１３と、従業員が操作可能な操作キー、ボタン等の入力器１４と、液晶ディスプレイ等の表示器１５と、受信装置２０との間で所定無線方式により客ＰＳからの注文に関するデータを送信する無線ユニット１６とを備える。ＲＯＭ１２及びＲＡＭ１３には、ＣＰＵ１１が実行する制御プログラム１７ａ及びこのプログラム処理で用いる制御テーブル１７ｂと、ＣＰＵ１１のワークエリア１７ｃとを含む仮想的なメモリ空間１７が設定される。
【００２８】
図３は、無線コントローラ３０の内部構成を示す。図３に示す無線コントローラ３０は、
本コントローラ全体の制御を担うＣＰＵ３１と、メモリを成すＲＯＭ３２及びＲＡＭ３３と、受信装置２０に接続される受信装置側Ｉ／Ｆ（インターフェース）３４と、ＰＯＳシステム４０に接続されるＰＯＳシステム側Ｉ／Ｆ３５と、プリンタ７０に接続されるプリンタ側Ｉ／Ｆ３６とを備える。ＲＯＭ３２及びＲＡＭ３３には、ＣＰＵ３１が実行する制御プログラム３７ａ及びこのプログラム処理で用いる制御テーブル３７ｂと、ＣＰＵ３１のワークエリア３７ｃとを含む仮想的なメモリ空間３７が設定される。
【００２９】
次に、本実施例の全体動作を説明する。
【００３０】
まず、図１に示すように、飲食店において、従業員が携帯端末１０によりグループ客ＰＳからの注文品を受け付けると（ステップＳｔ１）、注文品の伝達作業と同時に携帯端末１０又は無線コントローラ３０において、注文金額の合計ｎを客の総数ｍで割った割り勘金額ｚ（ｚ＝ｎ／ｍ）を計算する。この計算結果は、客の数、合計金額によっては、割り勘金額ｚは小数点以下の金額になることもあるので、小数点以下の数値は切り捨り上げとする。このデータは、他のレシート印字用のデータと共に、無線コントローラ３０を介して印字データとしてプリンタ７０に送られる（ステップＳｔ２）。
【００３１】
次いで、注文した品物が出揃った後、客先へ提示するレシート６０を印字するプリンタ７０は、無線コントローラからの印字データに基づき、注文した品物、金額、数量、単価からなる各小計の合計金額、消費税及び税込み金額をレシート６０上に印字すると同時に、前述した割り勘金額ｚを同じレシート６０上に印字する（ステップＳｔ３、図１中のレシート６０参照）。
【００３２】
これにより、客ＰＳは精算を行う前に割り勘金額がレシート６０に印字されているので速やかに各人の集金を済ませ、精算を行うことができる（ステップＳｔ４）。
【００３３】
次に、図４〜図８を参照して、上記の割り勘金額計算処理（ステップＳｔ２）について、最初の注文時の処理とその後の追加注文時の処理とに分けて説明する。
【００３４】
図４は、最初の注文時の処理を示すフローチャート、図５は、その処理で得られるプリンタ７０用の印字データの例をそれぞれ示す。図４に示す処理は、本例では、無線端末１０側でそのＣＰＵ１１が制御プログラム１７ａを実行することにより行なわれる場合を説明するが、これに限らず、例えば無線コントローラ３０側でそのＣＰＵ３１が制御プログラム３７ａを実行することにより行なわれてもよい。
【００３５】
図４に示すように、客ＰＳからの追加注文があると、無線端末１０側では、ＣＰＵ１１が制御プログラム１７ａを実行することにより、従業員が入力器１４を操作して、客ＰＳからの注文品とその注文数量を入力し、この処理を全ての注文が終了するまで繰り返し実行する（ステップＳｔ１１、Ｓｔ１２）。次いで、注文品の合計金額ｎを計算し（ステップＳｔ１３）、客ＰＳの人数Ｎを入力し（ステップＳｔ１４）、注文品の合計金額ｎを客ＰＳの人数Ｎで割って割り勘金額ｚ（ｚ＝ｎ／Ｎ：小数点以下切り上げ）を計算し（ステップＳｔ１５）、得られた割り勘金額に対応するレシート６０印字用の印字データＤをその他の印字データ（注文品の品名、数量、合計金額等）に加えて出力する（ステップＳｔ１６）。この割り勘金額の印字データＤは、例えば図５に示すように、プリンタ７０により印字されるレシート６０上の割り勘金額の欄に「ｚ円×Ｎ」と出力可能なものである。
【００３６】
図６は、上記注文後の追加注文時の処理を示すフローチャート、図７（ａ）〜（ｂ）は、その処理で得られるプリンタ７０用の印字データの例、図８は、その印字データによりプリンタ７０で印字されるレシート６０の例をそれぞれ示す。
【００３７】
図６に示すように、客ＰＳからの追加注文があると、無線端末１０側では、ＣＰＵ１１が制御プログラム１７ａを実行することにより、従業員が入力器１４を操作して、客ＰＳからの追加注文品とその注文数量を入力し、この処理を全ての注文が終了するまで繰り返し実行する（ステップＳｔ２１、Ｓｔ２２）。次いで、追加注文品の合計金額ｎを計算し（ステップＳｔ２３）、追加注文時に客ＰＳの人数変更があるかどうかを判断する（ステップＳｔ２４）。この判断は、例えば追加注文時用に予め設定された表示器１５上のメニュー画面（対話形式のユーザインターフェース画面）を見ながら、「人数変更あり？」、「人数減少か？」、「人数増加か？」、「何人減ったか？」、「何人増えたか？」等の内容に対応するメッセージに対し従業員が客ＰＳに直接確認する等して入力器１４を使って入力あるいは選択操作することによって行なわれる。その他の例として、入力器１４に客ＰＳの人数設定用キー又はボタン等を設けて、同様の操作を行うことも可能である。
【００３８】
次いで、上記判断の結果、ＮＯ（人数変更なし）の場合は、追加注文品の合計金額ｎ１を客ＰＳの人数Ｎ（最初の注文時の処理でＲＡＭ１３上のワークエリア１７ｃに一時的に格納されている）で割って割り勘金額ｚ（ｚ＝ｎ１／Ｎ：小数点以下切り上げ）を計算し（ステップＳｔ２５）、得られた割り勘金額に対応するレシート６０印字用の印字データＤ１をその他の印字データ（追加注文品の品名、数量、合計金額等）に加えて出力する（ステップＳｔ２６）。この場合の印字データＤは、例えば図７（ａ）に示すように、プリンタ７０により印字されるレシート６０上の割り勘金額用印字欄に「（ｚ＋ｚ１）円×Ｎ」と出力可能なものである。
【００３９】
また、上記判断の結果、ＹＥＳ（人数変更あり）の場合は、人数が減少したか否か（増加したか）を上記と同様の従業員による操作によって判断する（ステップＳｔ２７）。
【００４０】
この判断の結果、ＹＥＳ（人数減少）の場合は、減少分の人数Ｎ１を入力し（ステップＳｔ２８）、追加注文品の合計金額ｎ１を減少した客ＰＳの人数（Ｎ−Ｎ１）で割って割り勘金額ｚ２（ｚ２＝ｎ１／（Ｎ−Ｎ１）：小数点以下切り上げ）を計算し（ステップＳｔ２９）、得られた割り勘金額に対応するレシート６０印字用の印字データＤ１をその他の印字データ（追加注文品の品名、数量、合計金額等）に加えて出力する（ステップＳｔ３０）。この場合の割り勘金額の印字データＤは、例えば図７（ｂ）に示すように、プリンタ７０により印字されるレシート６０上の割り勘金額用印字欄の例えば上段側に「（ｚ＋ｚ２）円×（Ｎ−Ｎ１）」（最初の注文時点からその追加注文時時点まで残っている人用）、下段側に「ｚ円×Ｎ１」（途中で帰った人用）と出力可能なものである。
【００４１】
また、上記判断の結果、ＮＯ（人数増加）の場合は、増加分の人数Ｎ２を入力し（ステップＳｔ３１）、追加注文品の合計金額ｎ１を増加した客ＰＳの人数（Ｎ＋Ｎ３）で割って割り勘金額ｚ３（ｚ３＝ｎ１／（Ｎ＋Ｎ３）：小数点以下切り上げ）を計算し（ステップＳｔ３２）、得られた割り勘金額に対応するレシート６０印字用の印字データＤ１をその他の印字データ（追加注文品の品名、数量、合計金額等）に加えて出力する（ステップＳｔ３３）。この場合の割り勘金額の印字データＤは、例えば図７（ｃ）に示すように、プリンタ７０により印字されるレシート６０上の割り勘金額用印字欄の例えば上段側に「（ｚ＋ｚ３）円×Ｎ」（最初の注文時点からその追加注文時時点まで残っている人用）、下段側に「ｚ３円×Ｎ２」（途中から加わった人用）と出力可能なものである。
【００４２】
図８は、上記追加注文時の処理でプリンタ７０から印字されるレシート６０の例を示す。この例では、例えば４人で10,000円飲食した後に１人帰り、さらに3,000円追加した場合であり、図８（ａ）は、最初の注文時にその注文品と共に客に渡されるレシート６０、図８（ｂ）は、１人帰った後の追加注文時にその追加注文品と共に客に渡されるレシート６０をそれぞれ示す。これにより、割り勘金額は、先に帰った１人が2,500円、残った３人が3,500円と容易に分かるようになっている。従って、客ＰＳは、注文品が届くたびに一人当たりの金額が印字されたレシート６０上で割り勘金額を確認できるので、途中で抜ける場合は、幹事等の代表者にその時点の割り勘金額を渡して帰れば良いことになる。
【００４３】
また、３人で飲食していて、その後で１人加わって増えた後に追加注文した場合も同様にレシート６０上に表示され、これにより３人の割り勘金額と後で加わった人の割り勘金額をそれぞれ区別して分かるようになっている。
【００４４】
従って、本実施例によれば、複数人の客で会計が発生するファミリーレストラン等の飲食店において、注文毎に発行されるレシート上にその客の人数分に応じた割り勘金額をリアルタイムに印字して客に事前に提示するように構成したため、最終的な会計前の時点で事前に速やかに集金作業を行って会計が済むようになり、会計時間を大幅に短縮することができる。特に、追加注文する場合、その注文毎に発行されるレシート上に、その追加注文時点の人数に応じた割り勘金額がリアルタイムに印字されるので、先に帰ったり、途中から入ったりして人数変更が生じても、その人数変更に応じた割り勘金額を最後の会計時ではなくその注文時点にリアルタイムに知ることができ、これにより途中で帰る人が帰る際に預けていく金額が分かったり、途中から入った人が最後に払う金額が分かったりして、その利便性が大幅に向上するようになる。
【００４５】
上記割り勘金額提示システムのその他の実施例として、客が自ら注文できる機能を持った発注端末（セルフオーダ端末）と、この発注端末に接続される通信装置、ＰＯＳシステム等の処理装置とを備えた飲食店の場合には、上記プリンタ７０により印字されるレシート６０に代えて、発注端末の画面上に、注文毎にそれまでの注文内容および金額と一緒にその時点の客の人数に応じた割り勘金額をその注文と同時にリアルタイム表示させ、客に事前に割り勘金額を知らせる機能を設けるように構成してもよい。この場合の割り勘金額を計算する処理は、発注端末側でも処理装置側でも、いずれで実行可能である。
【００４６】
なお、本発明は、代表的に例示した上述の実施形態に限定されるものではなく、当業者であれば、特許請求の範囲の記載内容に基づき、その要旨を逸脱しない範囲内で種々の態様に変形、変更することができる。これらの変更、変形例も本発明の権利範囲に属するものである。
【図面の簡単な説明】
【００４７】
【図１】本発明の割り勘金額提示システムの全体構成及びその処理の流れを示す概念図。
【図２】携帯端末の内部構成を示す概略ブロック図である。
【図３】無線コントローラの内部構成を示す概略ブロック図である。
【図４】最初の注文時の処理シーケンスを示す概略フローチャートである。
【図５】最初の注文時に注文品と共に客に渡すレシート用の印字データの例を示す図である。
【図６】追加注文時の処理シーケンスを示す概略フローチャートである。
【図７】（ａ）〜（ｃ）は、追加注文時に注文品と共に客に渡すレシート用の印字データの例を示す図である。
【図８】（ａ）及び（ｂ）は、注文時及びその後の追加注文時に注文品と共に客に渡すレシートの例を示す図。
【符号の説明】
【００４８】
１０  携帯端末
２０  受信装置
３０  無線コントローラ
４０  ＰＯＳシステム
５０  商品管理データベース
６０  レシート（伝票）
７０  プリンタ
【図１】
2005165756.tif 000003
【図２】
2005165756.tif 000004
【図３】
2005165756.tif 000005
【図４】
2005165756.tif 000006
【図５】
2005165756.tif 000007
【図６】
2005165756.tif 000008
【図７】
2005165756.tif 000009
【図８】
2005165756.tif 000010